(57)【要約】【発明が解決しようとする課題】  ネジやボルト等の脱着という面倒で、手間がかかる作業をせずに、ワンタッチで迅速、簡単な操作で産業機器、事務機器、娯楽機器の交換を行い、設置交換の作業効率を向上させる【構成】  収納室にテーパー面と水平面を形成し、ローラー等を突出させて内臓させるとともにスプリングを挿填したリテナを収納室のテーパー面側に挿填して、スプリングによってリテナを収納室のテーパー面の狭域個所に接触するように構成し、リテナと収納室の水平面の間に、機器の挿入部を挿填して、収納室の狭域個所にリテナのローラー等を圧着すると同時にリテナのローラー等を機器の挿入部に圧着することによって、機器の挿入部を収納室の水平面に押圧して着脱可能に保持し、機器の挿入部を取り出す際は、リテナの開穴に鍵等をはめ込んで回転させてリテナの押圧部をスプリングに抗して押圧してリテナのローラー等を収納室の狭域個所より広域個所に移動させ、リテナのローラー等と機器の挿入部を開放して機器の挿入部を引き抜く機器のユニバーサルジョイント。【選択図】  図２
2005249064.tif 000002
【特許請求の範囲】
【請求項１】
収納室の一方の内側面にテーパー面を形成し、また、収納室の他方の内側面に水平面を形成し、一端部にローラーまたはボールの上面と下面を突出させて回転可能に内臓させるとともに他端部にスプリングを挿填したリテナを摺動可能に収納室のテーパー面側に挿填して、スプリングの弾力によってリテナのローラーまたはボールの上面を収納室のテーパー面の狭域個所に接触するように構成し、リテナの下側面と収納室の水平面の間に、機器の挿入部を挿填して、収納室のテーパー面の狭域個所にリテナの突出したローラーまたはボールの上面を圧着すると同時にリテナの突出したローラーまたはボールの下面を機器の挿入部の側面に圧着することによって、機器の挿入部を収納室の水平面に押圧して、機器の挿入部を収納室に着脱可能に保持し、機器の挿入部を収納室より取り出すについては、リテナに設けた押圧部を押圧手段によってリテナのスプリングの弾力に抗して押圧して、リテナのローラーまたはボールを収納室のテーパー面の狭域個所より広域個所に移動させ、リテナのローラーまたはボールと機器の挿入部の圧着状態を開放して機器の挿入部を引き抜く機器のユニバーサルジョイント。
【請求項２】
機器の挿入部を収納室より取り出すについて、押圧手段として鍵等を使用し、鍵等をリテナに設けた開穴にはめ込んで回転させてリテナの押圧部をスプリングの弾力に抗して押圧して、リテナのローラーまたはボールを収納室のテーパー面の狭域個所より広域個所に移動させ、リテナのローラーまたはボールと機器の挿入部の圧着状態を開放して機器の挿入部を引き抜く請求項１記載の機器のユニバーサルジョイント。
【請求項３】
収納室を、中央部に中間開穴と端部に外側壁を設けた上部部材と端部に内側壁を設けた下部部材より構成し、上部部材の内側面にテーパー面を形成するとともに下部部材の内側面に水平面を形成した請求項１または請求項２記載の機器のユニバーサルジョイント。
【発明の詳細な説明】
【技術分野】
【０００１】
本発明は、メーターやカウンター等の産業機器、タイムレコーダーや時計等の事務機器、ゲーム機やパチンコ等の娯楽機器等の機器を枠体や壁等の支持体に取り付ける際のユニバーサルジョイントに関するものである。
【背景技術】
【０００２】
従来、たとえば、ゲーム機やパチンコ等の娯楽機器は枠体や壁等の支持体にネジやボルト等によって取り付けられており、新型の機器に交換する際には、機器と支持体に固定されているネジやボルト等の脱着作業を必要としており、作業が面倒で、手間がかかるために、交換作業効率が低下する不都合があった
【０００３】
また、ゲーム機やパチンコ等の娯楽機器と枠体や壁等の支持体に固定されているネジやボルト等の脱着作業の際に、ネジやボルト等のネジ山が崩れたり、ネジやボルト等が曲がったり、破損したりすることもあり、このような場合には、ネジやボルト等の脱着作業がより一段と面倒となり、一層時間がかかる欠点があり、機器の交換作業効率が低下する欠点があった。
【０００４】
さらに、ゲーム機やパチンコ等の娯楽機器をネジやボルト等で保持する場合、機器の荷重がネジやボルト等に集中してかかり、ネジやボルト等が曲がったり、亀裂、損傷して機器を確りと安定に保持できない問題がある。
【発明の開示】
【発明が解決しようとする課題】
【０００５】
本発明は、ネジやボルト等の脱着という面倒で、手間がかかる作業をせずに、ワンタッチで迅速、簡単な操作でメーターやカウンター等の産業機器、タイムレコーダーや時計等の事務機器、ゲーム機やパチンコ等の娯楽機器の機器の設置、交換を行い、作業効率を向上させることに目的がある。
【０００６】
また、本発明は、前述した機器を保持するについて、従来のネジやボルト等で保持する場合に機器の荷重がネジやボルト等で集中してかかることをなくして、収納室とリテナーの全面で受けることによって、すなわち、保持面積を大きくして機器の荷重を受け止めて、機器を確固に安定して保持することに目的がある。
【課題を解決するための手段】
【０００７】
本発明は、機器のユニバーサルジョイントに関するもので、収納室の一方の内側面にテーパー面を形成し、また、収納室の他方の内側面に水平面を形成し、この収納室のテーパー面側に、一端部にローラーまたはボールの上面と下面を突出させて回転可能に内臓させるとともに他端部にスプリングを挿填したリテナを、摺動可能に挿填して、スプリングの弾力によってリテナのローラーまたはボールの上面を収納室のテーパー面の狭域個所に接触するように構成し、次いで、リテナの下側面と収納室の水平面の間に、機器の挿入部を挿填して、収納室のテーパー面の狭域個所にリテナの突出したローラーまたはボールの上面を圧着すると同時にリテナの突出したローラーまたはボールの下面を機器の挿入部の側面に圧着することによって、機器の挿入部を収納室の水平面に押圧して、機器の挿入部を収納室に着脱可能に保持し、また、機器の挿入部を収納室より取り出すについては、リテナに設けた押圧部を押圧手段によってリテナのスプリングの弾力に抗して押圧して、リテナのローラーまたはボールを収納室のテーパー面の狭域個所より広域個所に移動させ、リテナのローラーまたはボールと機器の挿入部の圧着状態を開放して機器の挿入部を引き抜くことに特徴がある。
【０００８】
また、本発明は、前述した機器のユニバーサルジョイントにおいて、機器の挿入部を収納室より取り出すについて、押圧手段として鍵等を使用し、鍵等をリテナに設けた開穴にはめ込んで回転させてリテナの押圧部をスプリングの弾力に抗して押圧して、リテナのローラーまたはボールを収納室のテーパー面の狭域個所より広域個所に移動させ、リテナのローラーまたはボールと機器の挿入部の圧着状態を開放して機器の挿入部を引き抜くことに特徴がある。
【発明の効果】
【０００９】
本発明によると、従来より時間がかかって、面倒であった、前述した機器を交換を、ユニバーサルジョイントの収納室内においてリテナーを移動させるという単純な操作だけで、簡単、迅速に、ワンタッチで行うことが可能であって、機器の設置や交換作業効率を格段に向上させることができる優れた利点がある。
【００１０】
また、本発明によると、機器の荷重を収納室等とリテナーの全面に分散して受けるという機構を採用することによって、従来のようにネジやボルト等に荷重が集中してかかって起こるネジやボルト等の曲がり、亀裂、損傷が起きない長所があり、さらには、機器を収納室に確固に固定できるために、機器を確固に安定して保持できるメリットもある。
【発明を実施するための最良の形態】
【００１１】
本発明の機器のユニバーサルジョイントの実施形態の一例をパチンコの脱着について説明すると、図１に示すように、１はリテナであって、このリテナ１の一端部にローラー２を回転可能に二つ以上内臓させるが、このローラー２はリテナ１に設けた円形溝より抜け落ちずに、かつ、ローラーの上面と下面を円形溝２より突出するようにするが、このローラー２に代えてボール（図示せず）を使用してもよく、また、リテナ１の他端部にはスリット５を設けてスプリング３を挿填するとともに、リテナ１の他端部の上面と下面にはスライド６を固定し、さらに、このリテナ１の中央部に開穴４と押圧部８を形成する。
【００１２】
リテナ１を挿填する収納室１５は、中央部に中間開穴１０と端部に外側壁１１を設けた上部部材９と端部に内側壁１３を設けた下部部材１２より構成するが、図２に示すように、収納室１５の上部部材９の内側面にテーパー面１４を形成するとともに下部部材１２の内側面に水平面１６を形成し、これによって収納室１５の上部部材９のテーパー面１４は、内側壁１３の方向に向かって間隔の広い部分、すなわち、広域個所を形成し、内側壁１３と反対の方向に向かって間隔の狭い部分、すなわち、狭域個所を形成する。
【００１３】
リテナ１を収納室１５に挿填するについては、まず、前述したリテナ１を収納室１５の下部部材１２の水平面１６をに置き、この上にテーパー面１４を形成した上部部材９を被せ、さらに、下部部材１２と上部部材９とを蓋状のカバー１９に嵌め込んで固定してユニバーサルジョイントを構成する。
【００１４】
ユニバーサルジョイントの収納室１５に挿填したリテナ１は、図３に示すように、スプリング３の固定板７を下部部材１２の内側壁１３によつて押えているために、スプリング３の弾力でリテナ１を内側壁１３と反対の方向にスライド６によって移動させて、リテナ１のローラー２の上面を上部部材９のテーパー面１４の狭域個所に接触させるとともに、リテナ１のローラー２の下面にはスライド５によって形成する隙間、すなわち、パチンコ２２の挿入部１７がかろうじて挿入する隙間を確保する。
【００１５】
図４に示すように、パチンコ２２に設けた挿入部１７をユニバーサルジョイントのカバー１９の挿入口２１よりリテナ１の下側面と収納室１５の下部部材１２の水平面１６の間に挿入すると、挿入部１７の厚さだけ、リテナ１のローラー２の上面は上部部材９のテーパー面１４の狭域個所に圧着する状態になるとともに、リテナ１のローラー２の下面もパチンコ２２の挿入部１７の側面に圧着する状態になり、これによってパチンコ２２の挿入部１７を下部部材１２の水平面１６押圧してユニバーサルジョイント２０内にワンタッチで着脱可能に保持する。
【００１６】
パチンコ２２の挿入部１７をユニバーサルジョイントの収納室１５より取り出すについては、押圧手段として鍵１８をカバー１９の上部開穴２０、収納室１５の上部部材９の中間開穴１０を通してリテナ１の開穴４にはめ込んで回転させ、鍵１８の突起によってリテナ１の押圧部８をスプリング３の弾力に抗して押圧して、リテナ１をスライド６によって内側壁１３の方向に移動させ、リテナ１のローラー２を収納室１５の上部部材９のテーパー面１４の狭域個所より広域個所に移動させることによって、リテナ１のローラー２とパチンコ２２の挿入部１７の圧着状態を開放して、リテナ１のーローラー２とパチンコ２２の挿入部１７との間に間隙を発生させて、パチンコ２２の挿入部１７を引き抜けばよい。
【００１７】
なお、前述した場合には、押圧手段として鍵１８を開穴４にはめ込んで回転させてリテナ１を移動させているが、この機構が簡便で安全であるが、その他の押圧手段としては、差込棒や？？？を開穴２０、中間開穴１０、開穴４に挿入してリテナ１の押圧部８を押圧して、リテナ１を内側壁１３の方向に移動させて、リテナ１のローラー２を収納室１５の上部部材９のテーパー面１４の狭域個所より広域個所に移動させることによって、パチンコ２２の挿入部１７をユニバーサルジョイントの収納室１５より取り出してもよく、その他、リテナ１の押圧部８を押圧してリテナ１を移動させることができるものであれば、どのようなものでもよい。
【００１８】
なお、収納室１５を構成する外側壁１１を設けた上部部材９と端部に内側壁１３を設けた下部部材１２は、前述したように別個の部材として構成した方がリテナ１を挿填し易いが、場合によっては、上部部材９と下部部材１２とをコの字状に一体化して構成し、開口している側面からリテナ１を挿填し、これに蓋状のカバー１９を嵌めて全体を固定してユニバーサルジョイントとして構成してもよい。
【００１９】
なお、リテナー１を収納室１５のテーパー面１４の広域個所に移動する方法については、鍵１８以外にも公知の手段で行なえばよく、たとえば、図示はしてないが、開穴に先細りした棒を挿入したり、カバーにボタンを設けて、これらによってリテナー１の押圧部８を押してリテナ１を収納室１５のテーパー面１４の広域個所側に移動させてもよい。
【００２０】
収納室１５の上部部材９の一内側面に設けるテーパー面１４の傾斜角度は、リテナー１やパチンコ２２等の機器の挿入部１７の大きさや形状によって適宜決定するが、通常の場合、３〜１２度にするとよく、また、リテナー１の大きさと長さは、パチンコ２２等の機器の挿入部１７の大きさや形状、収納室１５の大きさによって適宜決定するが、通常の場合、リテナー１の縦幅は収納室１５の縦幅より若干小さくし、リテナー１の横幅は収納室１５の横幅より１〜５ｃｍ短くし、また、ローラー２の材質はＳＵＧ−２が望ましく、直径は０．１〜２ｃｍとし、円形溝に摺動可能に内臓させるとともに、円形溝より抜け落ちないようにする。
【００２１】
リテナー１は一つ設ければ、収納室１５に挿入したパチンコ２２等の機器の挿入部１７を固定できるが、機器の挿入部１７をより確実に安定して固定する必要がある場合には、リテナ１の数を複数にしてもよい。
【産業上の利用可能性】
【００２２】
本発明のユニバーサルジョイントによって、工場や事務所で使用する産業機器や事務機器を工場や事務所の機器の設置場所である枠体や壁等の支持体にワンタッチで簡単、容易に設置したり、また、工場や事務所の機器の設置場所である枠体や壁等の支持体に既に取り付けられている産業機器や事務機器を新型の産業機器や事務機器にワンタッチで簡単、容易に交換でき、さらに、娯楽施設で使用するゲーム機、パチンコの娯楽機器、宣伝広告施設の宣伝広告版等についても、同様に、これらをワンタッチで簡単、容易に、設置や交換できる。
【図面の簡単な説明】
【００２３】
【図１】ユニバーサルジョイントの収納室を構成する上部部材、リテナ、下部部材の展開図である。
【図２】リテナを上部部材と下部部材より構成する収納室に摺動可能に挿填したユニバーサルジョイントの断面説明図である。
【図３】スプリングの弾力でリテナのローラーの上面を上部部材のテーパー面の狭域個所に接触させるとともに、リテナのローラーの下面を下部部材の水平面に接触させた状態に維持しているユニバーサルジョイントの断面説明図である。
【図４】リテナの下側面と収納室の下部部材の水平面の間に、パチンコに設けた挿入部を挿入して、リテナのローラーの上面を上部部材のテーパー面の狭域個所に圧着するともに、リテナ１のローラーの下面もパチンコの挿入部の側面に圧着する状態にして、パチンコの挿入部を下部部材の水平面押圧して保持した状態を示すユニバーサルジョイントの断面説明図である。
【符号の説明】
【００２４】
１    リテナ
２    ローラー
３    スプリング
４    下部開穴
５    スリット
６    スライド
７    固定板
８    押圧部
９    上部部材
１０  中間開穴
１１  外側壁
１２  下部部材
１３  内側壁
１４  テーパー面
１５  収納室
１６  水平面
１７  挿入部
１８  鍵
１９  カバー
２０  上部開穴
２１  挿入口
２２  パチンコ
【図１】
2005249064.tif 000003
【図３】
2005249064.tif 000004
【図４】
2005249064.tif 000005
【図２】
2005249064.tif 000006